(57)【要約】【課題】予め決められた条件が満たされたときに活性化されるメッセージを送受信可能にする。【解決手段】受信端末において、メッセージ及びメッセージが受信端末で活性化させる活性化条件と、を含むメッセージを送信端末から受信すると、活性化条件と現在状態とが一致しているか否かを判定し、活性化条件と現在状態とが一致したときに、メッセージを活性化する。一方、活性化条件と現在状態とが一致しないときは、メッセージを非活性状態とする。【選択図】  図３
2007060674.tif 000002
【特許請求の範囲】
【請求項１】
メッセージ及びこのメッセージを受信端末において活性化させる活性化条件が入力されると、前記メッセージ及び前記活性化条件を含むメッセージデータを生成し、生成したメッセージデータを前記受信端末に送信することを特徴とするメッセージ送信方法。
【請求項２】
前記活性化条件は、前記メッセージを活性化させる前記受信端末の位置又は日時であることを特徴とする請求項１に記載のメッセージ送信方法。
【請求項３】
前記活性化条件は、前記受信端末のユーザーによる操作に依存しないことを特徴とする請求項１に記載のメッセージ送信方法。
【請求項４】
前記メッセージは、音声メッセージまたはテキストメッセージを含むことを特徴とする請求項１に記載のメッセージ送信方法。
【請求項５】
前記メッセージデータは、前記メッセージが前記活性化条件を満たすことによって活性化されるドーマントメッセージであることを前記受信端末において識別可能な情報をさらに含むことを特徴とする請求項１に記載のメッセージ送信方法。
【請求項６】
前記メッセージデータは、前記メッセージが活性化される前または前記メッセージが活性化される際に前記受信端末上に表示される少なくとも一つの映像に対応する映像情報をさらに含むことを特徴とする請求項５に記載のメッセージ送信方法。
【請求項７】
前記映像情報は、サーバーに保存されている映像のＵＲＬ、前記受信端末に保存されている映像を示すコード値または映像ファイルであることを特徴とする請求項６に記載のメッセージ送信方法。
【請求項８】
前記映像は、複数の静止画を順次表示したものであることを特徴とする請求項６に記載のメッセージ送信方法。
【請求項９】
メッセージ及びこのメッセージを活性化させる活性化条件を含むメッセージデータを受信すると、前記活性化条件を満たしているか否かを判断し、前記活性化条件を満たしたときに前記メッセージを活性化することを特徴とするメッセージ受信方法。
【請求項１０】
前記活性化条件は、前記メッセージを活性化させる受信端末の位置または日時であることを特徴とする請求項９に記載のメッセージ受信方法。
【請求項１１】
前記活性化条件は、前記受信端末のユーザーによる操作に依存しないことを特徴とする請求項９に記載のメッセージ受信方法。
【請求項１２】
前記メッセージは、音声メッセージまたはテキストメッセージを含むことを特徴とする請求項９に記載のメッセージ受信方法。
【請求項１３】
前記メッセージデータは、前記メッセージが前記活性化条件を満たすことによって活性化されるドーマントメッセージであること識別可能な情報をさらに含むことを特徴とする請求項９に記載のメッセージ受信方法。
【請求項１４】
前記活性化条件を満たすまでは、前記メッセージを非活性状態に維持することを特徴とする請求項９に記載のメッセージ受信方法。
【請求項１５】
前記活性化条件を満たし、かつ、前記メッセージを活性化させるための所定の操作が行われたときに前記メッセージを活性化することを特徴とする請求項９に記載のメッセージの受信方法。
【請求項１６】
前記メッセージデータは、前記メッセージが表示される前または前記メッセージが表示される際に前記受信端末上に表示される少なくとも一つの映像に対応する映像情報をさらに含むことを特徴とする請求項９に記載のメッセージ受信方法。
【請求項１７】
前記映像情報は、サーバーに保存されている映像のＵＲＬ、受信端末に保存されている映像を示すコード値または映像ファイルであることを特徴とする請求項１６に記載のメッセージ受信方法。
【請求項１８】
前記メッセージが活性化される前または前記メッセージが活性化させる際に前記少なくとも一つの映像を表示することを特徴とする請求項１７に記載のメッセージ受信方法。
【請求項１９】
前記映像は、複数の静止画を順次表示したものであることを特徴とする請求項１７に記載のメッセージ受信方法。
【請求項２０】
ドーマントメッセージ警告モードが前記ユーザーによりオンに設定されているときは、前記ドーマントメッセージを受信したことを通知することを特徴とする請求項１３に記載のメッセージ受信方法。
【請求項２１】
前記活性化条件として日時が入力されているとき、その日時になるまでの残り時間を前記ユーザーに通知することを特徴とする請求項２０に記載のメッセージ受信方法。
【請求項２２】
メッセージ及びこのメッセージを受信端末において活性化させる活性化条件が入力される入力部と、
前記メッセージ及び前記活性化条件を含むメッセージデータを生成し、生成したメッセージデータを前記受信端末に送信する送信部と、
を含んで構成され、
前記活性化条件は、前記メッセージが活性化させる前記受信端末の状態であることを特徴とする端末機。
【請求項２３】
前記活性化条件は、前記メッセージを活性化させる前記受信端末の位置又は日時であることを特徴とする請求項２２に記載の端末機。
【請求項２４】
メッセージ及びこのメッセージを受信端末において活性化させる活性化条件を含むメッセージデータを受信する受信部と、
前記活性化条件と現在状態とを比較する比較部と、
前記活性化条件と前記現在状態とが一致したときに前記メッセージを活性化する活性化部と、
を含むことを特徴とする端末機。
【請求項２５】
前記活性化条件は、前記メッセージを活性化させる前記受信端末の位置又は日時であることを特徴とする請求項２４に記載の端末機。
【発明の詳細な説明】
【技術分野】
【０００１】
本発明は、端末機においてメッセージを送受信する技術に関する。
【背景技術】
【０００２】
短文メッセージサービス(ＳＭＳ：Ｓｈｏｒｔ Ｍｅｓｓａｇｅ Ｓｅｒｖｉｃｅ)は、モバイル電話のユーザが短文メッセージ(約４０ワード)を交換可能とするテキストメッセージングサービスである。モバイル端末が一般化されることによって、テキストメッセージングも一般化された。さらに、電子メールとは異なり、ＳＭＳメッセージは伝送されると、ほとんど同時に送信先に到逹する。
【０００３】
より具体的には、ＳＭＳは端末の間でメッセージ及び返信番号等を交換するサービスを提供する。また、ＳＭＳを通じてユーザは気象予報、ニュース、株式情報などを受信することができるだけではなく、各種情報を検索することもできる。
【０００４】
さらに、ＳＭＳは対話形式で情報を提供する。したがって、若者だけではなく情報を検索して利用することに不慣れな中年及び老年層でもこのサービスの利用が増加している。また、ＳＭＳは電子支払い及び電子商取引に拡張される。例えば、韓国ではクレジットカード会社が非権限クレジットカード使用を防止するためにＳＭＳメッセージが付された電子商取引承認情報を伝送するサービスを導入した。
【０００５】
一方、マルチメディアメッセージングサービス(ＭＭＳ：Ｍｕｌｔｉｍｅｄｉａ ｍｅｓｓａｇｉｎｇ Ｓｅｒｖｉｃｅ)は、ＳＭＳの短所を克服するために導入された。より詳しくは、ＭＭＳは静止画、音楽、オーディオ及び動画フォーマットのような各種フォーマットでデータを交換する第３世代モバイル通信サービスである。したがって、ＭＭＳは従来のフォーマットだけではなくマルチメディアフォーマットのメッセージも提供する。また、ＭＭＳはユーザがリアルタイム伝送を要請しないときでもメッセージ交換を可能とする。
【０００６】
すなわち、伝送者が従来のメッセージングサービスを利用してメッセージを伝送するとき、受信者はほとんどリアルタイムでメッセージを受信する。したがって、受信者はメッセージを直ちにチェックすることができる。
ところで、プログラミングされたメッセージングサービスも導入されている。このサービスでは、伝送者はプログラミングされたメッセージングサービスを利用してあらかじめ伝送時間を設定した上でメッセージを伝送すると、そのメッセージはネットワークサーバに一旦保存されてから、その後設定された時間になると、受信者に伝送される。
【発明の開示】
【発明が解決しようとする課題】
【０００７】
しかし、"プログラミングされたメッセージングサービス(ｐｒｏｇｒａｍｍｅｄ ｍｅｓｓａｇｉｎｇ ｓｅｒｖｉｃｅ)"は、単純にあらかじめ設定された時間にメッセージを伝送するものであるため、例えば設定された時間に受信者側が圏外にいるような場合には、所望の時間にメッセージを伝送することができないおそれがある。また、ネットワークサーバの負荷軽減の観点からも、プログラミングされたメッセージングサービス機能を端末機が有することが望ましい。
【０００８】
本発明はこのような実情に着目してなされたもので、その目的は、メッセージを送信する送信端末及びメッセージを受信する受信端末において、プログラミングされたメッセージング機能を動的に操作できるようにし、受信端末で受信されたメッセージを、所定期間非活性状態にしておき、あらかじめ決められた条件が満たされたときに活性化することにある。
【０００９】
本発明のほかの目的は、プログラミングされたメッセージング機能を実行し、テキストメッセージだけでなく、映像も一緒に表示するようにすることにある。
【課題を解決するための手段】
【００１０】
前記目的を達成するため、本発明は、メッセージ及びこのメッセージを受信端末において活性化させる活性化条件が入力されると、前記メッセージ及び前記活性化条件を含むメッセージデータを生成し、生成したメッセージデータを前記受信端末に送信する方法を提供する。
【００１１】
本発明のほかの様態によれば、本発明は、メッセージ及びこのメッセージを活性化させる活性化条件を含むメッセージデータを受信すると、前記活性化条件を満たしているか否かを判断し、前記活性化条件を満たしたときに前記メッセージを活性化する方法を提供する。
【００１２】
本発明に係る前述した課題を解決するための手段の説明と後述する実施形態の説明は、例示であり、本発明はかかる実施形態によって何ら限定されるものではない。
【発明の効果】
【００１３】
本発明によれば、送信端末及び受信端末は、プログラミングされたメッセージング機能を動的に操作することができ、メッセージが所定期間非活性状態にされ、あらかじめ決められた条件が満たされたときに、活性化されることができる。また、プログラミングされたメッセージング機能は、テキストメッセージだけでなく映像も表示されるように実行されるため、ユーザの多様な要求を満足させることができる。
【発明を実施するための最良の形態】
【００１４】
以下、本発明の好ましい実施の形態について、添付図面を参照しつつ詳細に説明する。
【００１５】
まず、本発明において使用される用語を定義する。
【００１６】
１）用語"ドーマントメッセージ(ｄｏｒｍａｎｔ ｍｅｓｓａｇｅ)"とは、受信端末がメッセージを受信しても活性化条件を満たすまで受信端末でチェックできないメッセージを意味する。
【００１７】
２）活性化条件は、メッセージを送信する端末のユーザにより設定された受信端末の位置(ｌｏｃａｔｉｏｎ)と時間とに対応する。さらに、活性化条件は受信端末のユーザによる動作に依存しない。
【００１８】
３）用語"活性化時間(ａｃｔｉｖａｔｉｏｎ ｔｉｍｅ)"は、送信者がメッセージに対して設定するもので、メッセージが受信端末で活性化されてメッセージの本体を判読またはチェック可能となる日時を意味する。
【００１９】
４）用語"物理的位置(ｐｈｉｓｉｃａｌ ｌｏｃａｔｉｏｎ)"は、受信端末の位置を意味する。例えば、位置は特定食堂、店、またはグランドキャニオンのような位置、または任意の他の位置に対応するＧＰＳ座標である。したがって、送信端末のユーザは活性化条件をグランドキャニオンに設定することができ、受信端末のユーザがグランドキャニオンに到達すると、メッセージが活性化される。
【００２０】
５）用語"活性映像(ａｃｔｉｖａｔｉｏｎ ｉｍａｇｅ)"は、活性化されたドーマントメッセージとともに表示され、またドーマントメッセージが非活性であるとき、ドーマントメッセージに関係なく表示される映像を意味する。したがって、伝送端末はドーマントメッセージの本体とともに活性映像を伝送するか、またはドーマントメッセージの本体とともに活性映像のインジケーターを伝送する。インジケーターは受信端末上に保存された活性映像を示すか、またはサーバー上に保存された少なくとも一つの映像のＵＲＬである。例えば、インジケーターは受信端末上に保存された映像ファイルを示すコード値であることができる. したがって、映像ファイル自体を伝送することよりはコード値を伝送することができる(コード値は受信端末上に保存された映像ファイルの位置を示すに過ぎないため、映像ファイル自体のサイズより小さい)。また、音楽またはサウンドファイルは表示された映像とともに表示される。
【００２１】
図１は、本発明の一実施形態による、送信端末を利用してメッセージを送信する方法を示すフローチャートである。端末は携帯電話、ＰＤＡ(ｐｅｒｓｏｎａｌ ｄｉｇｉｔａｌ ａｓｓｉｓｔａｎｔ)、ラップトップコンピュータ、デスクトップコンピュータなどである。
【００２２】
図１に示したように、送信端末はユーザからメッセージタイプを選択する信号を受信する(ステップＳ１００)。例えば、メッセージタイプの中の一つはドーマントメッセージタイプである。また、ユーザは端末により提供されたインターフェース及びメニューを通じて複数のメッセージタイプの中から一つを選択することができる。
【００２３】
その後、送信端末はユーザにより選択されたメッセージタイプがドーマントメッセージタイプであるか否かを判定する(ステップＳ１１０)。選択されたメッセージがドーマントメッセージではない場合(ステップＳ１１０においてＮＯ)、通常メッセージが生成され送信される(ステップＳ１６０)。
【００２４】
選択されたメッセージがドーマントメッセージであると端末が判定すると(ステップＳ１１０においてＹＥＳ)、伝送端末のユーザはメッセージ及び活性化条件を入力する(ステップＳ１２０)。活性化条件はメッセージが活性化される受信端末の現在状態を示す条件である。すなわち、活性化条件は受信者がメッセージを確認可能になった後に伝送者により選択可能になる。上述のように、活性化条件は時間、位置などである。すなわち、活性化条件は受信端末のユーザによる操作とは関係ない。
【００２５】
さらに、図１に示したように、送信端末のユーザは受信端末上に表示される活性映像のような他の情報を入力する(ステップＳ１３０)。活性映像は送信端末上に保存するか、または受信端末、外部サーバー上に保存することができる。受信端末上に保存された映像を特定するために、映像に対する情報は送信端末及び受信端末の間で共有される。例えば、本発明が具現する同一映像、モジュールまたはソフトウェアは送信端末及び受信端末上に設置することができる。また、音楽またはサウンドファイルは表示された映像とともに再生できる。
【００２６】
また、ステップＳ１３０で、活性映像の情報が入力されると、メッセージが受信端末で活性化される前またはメッセージが活性化される際に受信端末上に映像が表示される。あるいは、ユーザはメッセージが受信端末で活性化される前に順次に表示される２個以上の映像を選択する。また、その映像はメッセージが活性化された後またはメッセージが活性化されるときに表示することができる。
【００２７】
また、活性映像情報は、漸進的に変化する映像、すなわち複数の静止画を順次表示した映像の情報を含む。例えば、かかる活性映像は、種の花への成長、特定人の感情変化、または季節変化(例えば、春、夏、秋、冬)の過程を示すことができる。
【００２８】
また、活性映像情報はユーザにより各種写真映像の情報や、アニメーションまたはカートンのような情報を含む。また、活性映像情報は複数の静止画で構成される動画、またはフラッシュ映像のようなビデオ情報を含むことができる。
【００２９】
図１を参照すれば、ユーザが活性映像情報を入力した後、端末は選択されたメッセージタイプ並びに入力された活性化条件及びメッセージを含んだメッセージパケット（メッセージデータ）を生成する(ステップＳ１４０)。本発明において、用語"パケット"とは、メッセージ運搬構造を意味することで、パケットスイッチング通信ネットワークで使用される用語の"パケット"の意味に限定されない。
【００３０】
また、ユーザが活性映像情報を入力すれば、本発明により伝送されたメッセージパケットは映像情報を含むことができる。さらに、メッセージパケットは映像ファイルを含むか、または、例えば受信端末またはサーバー上に保存された映像を示すインジケーターを含むことができる。
【００３１】
したがって、活性映像情報がメッセージパケットに含まれる場合、活性化時間に到達すると、ユーザはメッセージとともに映像を見ることができる。なお、何の活性映像情報もメッセージパケットに含まれない場合であっても、受信端末上に保存されている映像であれば、活性化条件が満たされる前に多様な方法で表示可能である(例えば、受信されたドーマントメッセージを受信ユーザに通知する)。
【００３２】
好ましくは、メッセージパケットのヘッダーはメッセージタイプ及び活性化条件を含む。さらに、メッセージ及び活性映像情報はメッセージパケットのペイロード(ｐａｙｌｏａｄ)に含まれる。しかし、本発明はこのようなメッセージパケット構造に限定されない。
【００３３】
その後、生成されたメッセージパケットが送信される(ステップＳ１５０)。例えば、一般的にメッセージパケットが無線通信ネットワークを通じて送信されても、本発明はこのような伝送に限定されない。また、受信端末はドーマントメッセージが受信されたか否かを受信端末のユーザに通知することができる。ここで、送信端末のユーザはこのような設定に関わらず、活性化時間より前であれば受信者にドーマントメッセージを通知しないようにドーマントメッセージを伝送することができるようにしてもよい。
【００３４】
図２は、本発明の一実施形態によるドーマントメッセージを送信するための例示的なスクリーンを概略的に示す図である。図２に示したように、ユーザはメッセージ選択スクリーン２００を通じて生成して伝送されるメッセージタイプを選択する。例えば、メッセージ選択スクリーン２００はドーマントメッセージオプション２０３を含む。
【００３５】
したがって、ドーマントメッセージオプション２０３を選択すれば、ユーザはメッセージ生成スクリーン２１０上で活性化条件(本例では特定時間)及びメッセージ２１５を記入することができる。その後、ユーザは映像検索オプション２２３を選択して活性映像選択スクリーン２２０上に保存された映像を選択する。また、ユーザは上述したように受信端末上に表示される映像のインジケーターのみを伝送するようにデフォルト映像オプション２２７を選択することができる。
【００３６】
図３は、本発明の一実施形態による受信端末を利用して受信されたメッセージを活性化する方法を示すフローチャートである。図３に示したように、受信端末は、上述のように通常メッセージまたはドーマントメッセージであるメッセージパケットを受信する(ステップＳ３００)。また、メッセージパケットは、受信端末においてメッセージタイプを識別可能な情報、活性化条件及びメッセージを含む。
【００３７】
その後、受信端末は受信されたメッセージパケットをパーシング(ｐａｒｓｉｎｇ)して受信されたメッセージのメッセージタイプがドーマントメッセージタイプであるか否かを判定する(ステップＳ３１０)。受信されたメッセージがドーマントメッセージではない場合(ステップＳ３１０においてＮＯ)、受信端末は通常のメッセージ受信プロセスを実行する(ステップＳ３２０)。
【００３８】
しかし、受信されたメッセージがドーマントメッセージである場合(ステップＳ３１０においてＹＥＳ)、受信端末はドーマントメッセージ警告モード（活性化警告モード）がオンであるか否かを判定する(ステップＳ３３０)。警告モードがオフである場合(ステップＳ３３０においてＮＯ)、受信端末は受信されたドーマントメッセージを保存し、ドーマントメッセージが受信されたことをユーザに通知しないで次のステップＳ３５０に進行する。一方、警告モードがオンである場合(ステップＳ３３０においてＹＥＳ)、受信端末はユーザにドーマントメッセージが受信されたことを通知する(ステップＳ３４０)。
【００３９】
また、ユーザはドーマントメッセージが受信されたことを、多様な方式で通知を受ける。例えば、ユーザは警報を通じて表示された映像だけで、または電話振動、通知インジケーターの表示などによりサウンドとともに通知を受ける。
【００４０】
その後、受信端末はメッセージパケットに含まれた活性化条件が受信端末の現在状態と一致するか否かを判定する(ステップＳ３５０)。現在状態が活性化条件と一致しない場合(ステップＳ３５０においてＮＯ)、受信端末は規則的な間隔でステップＳ３５０を反復し、受信されたメッセージを非活性状態に維持する(ステップＳ３６０)。
【００４１】
しかし、活性化条件が現在状態と一致する場合(ステップＳ３５０においてＹＥＳ)には、メッセージが活性化される(ステップＳ３７０)。好ましくは、受信端末はユーザにメッセージが活性化可能になり、ユーザが受信されたメッセージをチェックすることができることを通知する。そして、ユーザが受信されたドーマントメッセージをチェックすることを許可する操作を行なうと、受信端末はメッセージに含まれたメッセージを活性化し、さらに表示する（ステップＳ３８０)。
【００４２】
また、上述のように、活性映像情報は受信されたメッセージパケットに含まれる。したがって、メッセージが活性映像情報を含む場合、活性映像はメッセージとともに表示される。また、活性映像はユーザに受信されたメッセージを通知するためにメッセージより早く表示することができる。
【００４３】
活性映像情報が映像の集合を示す場合、受信端末は活性化時間より前に(すなわち、メッセージが非活性であるときに)映像を順次に表示しながら活性化時間になるまで残っている時間を表示する。しかし、ドーマントメッセージ警告モードがオフである場合、映像は表示されない。
【００４４】
さらに、送信端末は活性映像情報とは違うオーディオ情報を含むメッセージパケットを送信することができる。その後、受信端末は活性映像情報を受信したときと類似したプロセスを通じてオーディオ情報を出力する。例えば、受信端末はドーマントメッセージが受信端末で活性化されるときにオーディオ情報を出力することができる。メッセージパケットに含まれたオーディオ情報は特定方式(ｓｃｈｅｍｅ)によってエンコードされたオーディオデータを含み、また、受信端末に保存された特定オーディオデータのインジケーターを含むことができる。また、オーディオ情報は活性映像とともに表示することができる。
【００４５】
図４は、本発明の一実施形態による送信及び受信機能を有するモバイル通信端末を示すブロック図である。図４に示したように、モバイル端末は無線通信部４００、入力部４１０、制御器４２０及びメモリ４３０を含む。また、ＧＰＳ部は、端末の物理的位置を決定するように含まれる。
【００４６】
さらに、制御部４２０はメッセージパケット変換部４２３を含み、無線通信部４００はモバイル通信ネットワークを通じてデータ通信を実行する。また、入力部４１０はユーザから各種信号を受信するキーパッドまたはタッチパッドのようなインターフェースデバイスである。制御部４２０はモバイル端末の全体動作を制御する。
【００４７】
また、メモリー４３０はモバイル通信端末の全体動作を制御するプログラムを保存し、モバイル通信端末の全体動作に関する各種データを保存する。メモリ４３０は活性映像情報を保存する。
【００４８】
端末が送信端末であり、選択されたメッセージタイプがドーマントメッセージタイプである場合、ユーザは入力部４１０で、メッセージと、メッセージが活性化される受信端末の現在状態を示す条件である活性化条件を入力する。また、ユーザは受信端末上に映像または映像を表示する活性映像情報を入力する。
【００４９】
また、メッセージパケット変換部４２３は、選択されたメッセージタイプ、入力活性化条件及びメッセージを含むメッセージパケットを構成する。また、ユーザが活性映像情報を入力するとき、メッセージパケット変換部４２３は活性映像情報をメッセージパケットに付加的に統合することによりメッセージパケットを構成する。その後、無線通信部４００はモバイル通信ネットワークを通じて構成されたメッセージパケットを伝送する。
【００５０】
図４に示した端末が受信端末であるとき、無線通信部４００はメッセージタイプ、活性化条件及びメッセージを含むメッセージパケットをモバイル通信ネットワークを通じて受信する。その後、制御部４２０は受信されたメッセージパケットをパーシングして、メッセージタイプがドーマントメッセージタイプであるか否かを判定する。受信されたメッセージがドーマントメッセージである場合、制御部４２０はメッセージに含まれた活性化条件と現在条件とを比較してメッセージを活性化するか否かを決定する。
【００５１】
また、制御部４２０は、現在条件と活性化条件とが同一でメッセージを活性化するまでメッセージを非活性で維持するための第１の制御信号を出力する。制御器４２０は活性化条件が現在条件と同一であるか否かを受信されたメッセージでチェックしたことをユーザに通知するための第２の制御信号を出力する。制御部４２０はメッセージが入力部４１０から受信されたか否かをチェックするための信号としてメッセージを表示するための第３の制御信号を付加的に出力する。
【００５２】
さらに、制御部４２０は受信されたメッセージパケットが活性映像の情報を含む場合、メッセージを表示する前に活性映像を表示するための第４の制御信号を出力する。しかし、メッセージパケットに含まれた活性映像情報が活性映像のインジケーターである場合、制御部４２０は受信端末のメモリ４３０に保存された活性映像を判読して表示する。また、上述のように、活性映像情報はＵＲＬであることができる。
【００５３】
また、制御器４２０は受信されたメッセージがドーマントメッセージでドーマントメッセージ警告モードがユーザによりオンに設定されている場合、ユーザにメッセージが受信された否かを通知するための第５の制御信号を出力する。ユーザは入力部４１０を利用してドーマントメッセージ警告モードを設定することができる。
【００５４】
さらに、メッセージが非活性であるとき、制御部４２０は時間の経過に伴い活性映像が徐徐に変化することを表示し、活性化時間になるまで残っている時間を表示するための第６の制御信号を出力する。
【００５５】
また、伝送ユーザは活性化条件に対応する誕生日、クリスマス、記念日などのような特定日付を入力する。また、メッセージはテキストメッセージまたは音声メッセージであることができる。さらに、映像がメッセージとともに表示されず、映像だけが活性化条件を満たしたときに表示されるように映像情報のみを入力することもできる。すなわち、ユーザはメッセージの入力をスキップして映像情報のみを入力することができる。
【００５６】
以上、本発明の詳細な説明においては具体的な実施形態に関して説明したが、形式や細部についての様々な変更が、特許請求の範囲の記載により規定されるような本発明の特徴及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５７】
【図１】送信端末でメッセージを送信する方法を示すフローチャートである。
【図２】ドーマントメッセージを送信する例示的なスクリーンを示す概要図である。
【図３】受信端末で受信されたメッセージを活性化する方法を示すフローチャートである。
【図４】メッセージ送信機能及び受信されたメッセージ活性化機能を有する端末を示すブロック図である。
【符号の説明】
【００５８】
２００  メッセージ選択スクリーン
２０３  ドーマントメッセージオプション
２１０  メッセージ生成スクリーン
２１５  メッセージ
２２０  活性映像選択スクリーン
２２３  映像検索オプション
２２７  デフォルト映像オプション
４００  無線通信部
４１０  入力部
４２０  制御部
４２３  メッセージパケット変換部
４３０  メモリ
【図１】
2007060674.tif 000003
【図２】
2007060674.tif 000004
【図３】
2007060674.tif 000005
【図４】
2007060674.tif 000006